(57)【要約】【課題】目標速度を設定した車両制御を行う際に、車両の加速度をドライバの操作に応じた加速度に近づけることにより、ドライバに与える違和感を小さくすることができる車両制御装置を提供する。【解決手段】  ＥＣＵ３０は、取得した道路形状から車両の速度パターンを生成し、さらには走行経路を区分けする。区分けした走行経路を加速区間と惰性走行区間とに分類する。車両が走行する際。走行区間が加速区間から惰性走行区間に切り替わる際、車両の要求加速度を加速区間加速度から惰性走行区間加速度に滑らかに徐変させる。また、惰性走行区間から加速区間に切り替わる際、車両の要求加速度を惰性走行区間加速度から加速区間加速度に滑らかに徐変させる。【選択図】  図３
2011079424.tif 000002
【特許請求の範囲】
【請求項１】
走行予定経路の道路情報に基づいて車両の目標速度を設定し、前記走行予定経路を所定の走行区間に区分けし、前記走行区間ごとにアクセルペダル踏み込み量に対する要求加速度を設定して前記車両の走行速度が前記目標速度となるように運転操作支援を行う車両制御装置において、
前記走行区間が切り替わり、前記要求加速度が急変する急変要求加速度となる場合に、前記車両の制御加速度を徐変させることを特徴とする車両制御装置。
【請求項２】
前記要求加速度を徐変させることによって、前記車両の制御加速度を徐変させる請求項１に記載の車両制御装置。
【請求項３】
前記車両の加速度を制御する加速度制御装置の出力を徐変させることによって、前記車両の制御加速度を徐変させる請求項１に記載の車両制御装置。
【請求項４】
前記走行区間の切替時にアクセルペダルが踏み込まれている場合、アクセルペダル踏み込み量に対する要求加速度を走行区間の切替前の状態に維持する請求項１に記載の車両制御装置。
【請求項５】
前記要求加速度が急変すると予測される加速度急変予測区間の前の走行区間である加速度急変予測前区間から、前記車両の制御加速度を徐変させ始める請求項１に記載の車両制御装置。
【発明の詳細な説明】
【技術分野】
【０００１】
本発明は、車両制御装置に係り、特に、車両の目標速度を設定し、走行速度を目標速度に近づける運転操作支援を行う車両制御装置に関する。
【背景技術】
【０００２】
車両の最適な走行軌跡を生成し、その走行軌跡を利用して各種運転支援を行ったり、自動運転を行ったりする技術が開発されている。このような技術として、従来、カーブ路における走行軌跡を生成するとともに、生成した走行軌跡を走行する際における目標速度パターンや目標加速度パターンといった走行パターンを生成し、生成した走行パターンに追従するように自動制御を行う制御装置が開示されている（たとえば、特許文献１参照）。ここでの走行パターンとしては、速度パターンや加速度パターンがある。この制御装置では、カーブをメッシュで区分けし、各メッシュについての熱効率が高くなる速度や加速度を求める。制御装置では、この各メッシュに対して求めた速度や加速度を繋げることによって、カーブを走行する際の走行パターンを求めている。
【先行技術文献】
【特許文献】
【０００３】
【特許文献１】特開２００９−１１３５２４号公報
【発明の概要】
【発明が解決しようとする課題】
【０００４】
しかし、上記特許文献１に開示された制御装置では、走行区間における速度や加速度の関係については特に考慮されていない。このため、走行区間で速度や加速度が急激に変化すると、アクセル開度が一定であっても急激な速度や加速度の変化が生じることとなる。したがって、ドライバは、アクセルペダルの踏み込み量を一定にしていた場合であっても、急激な加速度の変化に見舞われることがあるので、ドライバに対して違和感を与える可能性があるという問題があった。
【０００５】
そこで、本発明の課題は、目標速度を設定した車両制御を行う際に、車両の加速度をドライバの操作に応じた加速度に近づけることにより、ドライバに与える違和感を小さくすることができる車両制御装置を提供することにある。
【課題を解決するための手段】
【０００６】
上記課題を解決した本発明に係る車両制御装置は、走行予定経路の道路情報に基づいて車両の目標速度を設定し、走行予定経路を所定の走行区間に区分けし、走行区間ごとにアクセルペダル踏み込み量に対する要求加速度を設定して車両の走行速度が目標速度となるように運転操作支援を行う車両制御装置において、走行区間が切り替わり、要求加速度が急変する急変要求加速度となる場合に、車両の制御加速度を徐変させることを特徴とする。
【０００７】
本発明に係る車両制御装置においては、走行区間が切り替わり、要求加速度が急変する急変要求加速度となる場合、加速度の急変によってドライバに違和感を与える可能性がある。この点、本発明に係る車両制御装置では、要求加速度が急変する急変要求加速度となる場合に、車両の制御加速度を徐変させている。車両の制御加速度を徐変させることにより、目標速度を設定した車両制御を行う際に、ドライバの操作に応じた加速度に車両の制御加速度を近づけることができる。したがって、ドライバに与える違和感を小さくする
【０００８】
ここで、要求加速度を徐変させることによって、車両の制御加速度を徐変させる態様とすることができる。
【０００９】
また、車両の制御加速度を制御する加速度制御装置の出力を徐変させることによって、車両の制御加速度を徐変させる態様とすることができる。
【００１０】
このように、車両の制御加速度を徐変させる際には、要求加速度を徐変させることもできるし、要求加速度は変えることなく、加速度制御装置の出力を徐変させることもできる。さらには、要求加速度と加速度制御装置の出力の両方を徐変させて車両の制御加速度を徐変させることもできる。
【００１１】
また、走行区間の切替時にアクセルペダルが踏み込まれている場合、アクセルペダル踏み込み量に対する要求加速度を走行区間の切替前の状態に維持する態様とすることができる。
【００１２】
本発明に係る車両制御装置においては、ドライバがアクセルペダルを踏み込んでいる際に走行区間が切り替った場合には、要求加速度（要求減速度）が維持されることとなる。このため、ドライバの加速意思を反映した制御を行うことができるので、ドライバに与える違和感を小さくすることができる。
【００１３】
さらに、要求加速度が急変すると予測される加速度急変予測区間の前の走行区間である加速度急変予測前区間から、車両の制御加速度を徐変させ始める態様とすることができる。
【００１４】
本発明においては、加速度急変予測前区間から、車両の制御加速度を徐変させ始める。このため、加速度急変予測区間における要求加速度を早期に達成することができるので、目標走行パターンに対する追従性の悪化を防止することができる。
【発明の効果】
【００１５】
本発明に係る車両制御装置によれば、目標速度を設定した車両制御を行う際に、車両の加速度をドライバの操作に応じた加速度に近づけることにより、ドライバに与える違和感を小さくすることができる。
【図面の簡単な説明】
【００１６】
【図１】本発明の第１の実施形態に係る車両制御装置のブロック構成図である。
【図２】車両制御装置における処理手順を示すフローチャートである。
【図３】加速支援制御の処理手順を示すフローチャートである。
【図４】速度パターンの生成処理を説明するための概略図である。
【図５】アクセル開度と要求加速度との関係を示すマップであり、（ａ）は、惰性走行区間用マップ、（ｂ）は、加速区間用マップである。
【図６】（ａ）は、アクセル開度と要求加速度との関係を示すマップ、（ｂ）は、惰性走行区間と加速区間とが切り替わるときの要求加速度の変化を示すグラフである。
【図７】第２の実施形態に係る車両制御装置における加速支援制御の処理手順を示すフローチャートである。
【図８】（ａ）は、加速区間から惰性走行区間に切り替わる際における要求加速度の経時変化を示すグラフ、（ｂ）は、そのアクセル開度の経時変化を示すグラフである。
【図９】（ａ）は、惰性走行区間から加速区間に切り替わる際における要求加速度の経時変化を示すグラフ、（ｂ）は、そのアクセル開度の経時変化を示すグラフである。
【図１０】第３の実施形態に係る車両制御装置における加速支援制御の処理手順を示すフローチャートである。
【図１１】次区間が重要区間である場合における要求加速度の経時変化を示すグラフである。
【図１２】（ａ）は、アクセル開度と要求加速度との関係を示すマップ、（ｂ）は、次区間が重要区間である場合における要求加速度の経時変化の他の例を示すグラフである。
【発明を実施するための形態】
【００１７】
以下、添付図面を参照して本発明の実施形態について説明する。なお、図面の説明において同一の要素には同一の符号を付し、重複する説明を省略する。また、図示の便宜上、図面の寸法比率は説明のものと必ずしも一致しない。
【００１８】
図１は、本発明の第１の実施形態に係る車両制御装置のブロック構成図である。図１に示すように、本実施形態に係る車両制御装置１は、ブレーキペダルセンサ１１、アクセルペダルセンサ１２、操舵角センサ１３、Ｇセンサ１４、ヨーレートセンサ１５、車輪速センサ１６、白線検知センサ１７、およびナビゲーションシステム１８を備えている。また、車両制御装置１は、操舵アクチュエータ２１、スロットルアクチュエータ２２、ブレーキアクチュエータ２３、モータ２４およびＥＣＵ[Electronic Control Unit]３０を備えている。さらに、車両制御装置１では、ナビゲーションシステム１８からの情報を利用する。ＥＣＵ３０には、ブレーキペダルセンサ１１、アクセルペダルセンサ１２、操舵角センサ１３、Ｇセンサ１４、ヨーレートセンサ１５、車輪速センサ１６、白線検知センサ１７、およびナビゲーションシステム１８が接続されている。さらに、ＥＣＵ３０には、操舵アクチュエータ２１、スロットルアクチュエータ２２、ブレーキアクチュエータ２３、およびモータ２４が接続されている。車両制御装置１は、動力として図示しないエンジンのほかにモータ２４を備えるいわゆるハイブリッド式の車両に設けられている。
【００１９】
ブレーキペダルセンサ１１は、たとえばブレーキペダルに設けられており、ドライバにより踏み込まれたブレーキペダルの踏み込み量を検出する。ブレーキペダルセンサ１１が検出する踏み込み量としては、たとえばブレーキペダルストロークや踏力を検出する。ブレーキペダルセンサ１１は、検出したブレーキペダルの踏み込み量をブレーキペダル信号としてＥＣＵ３０に送信する。
【００２０】
アクセルペダルセンサ１２は、たとえばアクセルペダルに設けられており、ドライバにより踏み込まれたアクセルペダルの踏み込み量を検出する。アクセルペダルセンサ１２が検出する踏み込み量としては、たとえばアクセルペダルストロークや踏力を検出する。アクセルペダルセンサ１２は、検出したアクセルペダルの踏み込み量をアクセルペダル信号としてＥＣＵ３０に送信する。
【００２１】
操舵角センサ１３は、たとえばステアリングシャフトに取り付けられており、ドライバにより操舵されたハンドルの操舵角を検出する。操舵角センサ１３は、検出したハンドルの操舵角を操舵角信号としてＥＣＵ３０に送信する。
【００２２】
Ｇセンサ１４は、自車両に作用している横加速度や前後加速度を検出するセンサである。Ｇセンサ１４では、自車両に作用している加速度を検出し、その加速度をＧ信号としてＥＣＵ３０に送信する。なお、検出する加速度毎に、横Ｇセンサ、前後Ｇセンサがそれぞれ構成される。
【００２３】
ヨーレートセンサ１５は、自車両で発生しているヨーレートを検出するセンサである。ヨーレートセンサ１５では、自車両で発生しているヨーレートを検出し、そのヨーレートをヨーレート信号としてＥＣＵ３０に送信する。
【００２４】
車輪速センサ１６は、車両の４輪にそれぞれ設けられ、車輪の回転速度（車輪の回転に応じたパルス数）を検出するセンサである。車輪速センサ１６では、所定時間毎の車輪の回転パルス数を検出し、その検出した車輪回転パルス数を車輪速信号としてＥＣＵ３０に送信する。ＥＣＵ３０では、各車輪の回転速度から車輪速をそれぞれ演算し、各輪の車輪速から車体速（車速）を演算する。
【００２５】
白線検知センサ１７は、カメラや画像処理装置を備えており、一対の白線（車線）を検知するセンサである。白線検知センサ１７では、カメラで自車両の前方の道路を撮像する。そして、白線検知センサ１７では、画像処理装置で撮像画像から車両が走行している車線を示す一対の白線を認識する。白線検知センサ１７では、これらの認識した一対の白線の情報を白線検知信号としてＥＣＵ３０に送信する。
【００２６】
ナビゲーションシステム１８は、自車両の現在位置の検出および目的地までの経路案内などを行うシステムである。特に、ナビゲーションシステム１８では、地図データベースから現在走行中の道路の形状情報を読み出し、その道路形状情報をナビ信号としてＥＣＵ３０に送信する。なお、ナビゲーションシステムを備えない車両の場合、少なくとも道路形状情報を少なくとも格納した地図データベースを備える構成としてもよいし、あるいは、路車間通信などを利用して道路形状情報を取得する構成としてもよい。
【００２７】
操舵アクチュエータ２１は、モータによる回転駆動力を減速機構を介してステアリング機構（ラック、ピニオン、コラムなど）に伝達し、ステアリング機構に操舵トルクを付与するためのアクチュエータである。操舵アクチュエータ２１では、ＥＣＵ３０から操舵制御信号を受信すると、操舵制御信号に応じてモータが回転駆動して操舵トルクを発生させる。
【００２８】
スロットルアクチュエータ２２は、駆動源の１つであるエンジンのスロットルバルブの開度を調整するアクチュエータである。スロットルアクチュエータ２２では、ＥＣＵ３０からのエンジン制御信号を受信すると、エンジン制御信号に応じて作動し、スロットルバルブの開度を調整する。
【００２９】
ブレーキアクチュエータ２３は、各車輪のホイールシリンダのブレーキ油圧を調整するアクチュエータである。ブレーキアクチュエータ２３では、ＥＣＵ３０からのブレーキ制御信号を受信すると、ブレーキ制御信号に応じて作動し、ホイールシリンダのブレーキ油圧を調整する。
【００３０】
モータ２４は、駆動源の１つである電気モータである。また、モータ２４は、ジェネレータとしての機能を有しており、車輪の回転エネルギ（運動エネルギ）を電気エネルギーに変換し、回生発電を行う。モータ２４では、モータ制御信号を受信すると、モータ制御信号に応じて回転駆動して駆動力を発生する。また、モータ２４は、回生制御信号を受信すると、回生制御信号に応じて発電し、その発電した電力をバッテリに充電する。
【００３１】
ＥＣＵ３０は、ＣＰＵ[Central Processing Unit]、ＲＯＭ[Read Only Memory]、ＲＡＭ[Random AccessMemory]などからなり、車両制御装置１を統括制御する電子制御ユニットである。ＥＣＵ３０では、一定時間毎に、各センサ１１〜１７およびナビゲーションシステム１８からの各信号を受信する。そして、ＥＣＵ３０では、走行軌跡最適化処理、初期条件生成処理、連続カーブ対応処理などを行って最適な走行軌跡を生成する。さらに、ＥＣＵ３０では、生成した最適な走行軌跡に基づいて車両制御処理を行い、操舵アクチュエータ２１、スロットルアクチュエータ２２、ブレーキアクチュエータ２３、モータ２４を制御する。ＥＣＵ３０は、本発明の加速度制御装置として機能する。
【００３２】
次に、本実施形態に係る車両制御装置における処理手順について説明する。図２は、本実施形態に係る車両制御装置における処理手順を示すフローチャートである。図２に示すように、本実施形態に係る車両制御装置において、ＥＣＵ３０は、車両が走行する道路の道路形状を取得する（Ｓ１）。ＥＣＵ３０では、白線検知センサ１７から送信される白線検知信号やナビゲーションシステム１８から送信されるナビ情報等に基づいて、車両が走行する道路の道路形状、たとえばカーブＲや路面μ情報を取得する。
【００３３】
次に、ＥＣＵ３０は、ドライバ操作を取得する（Ｓ２）。ＥＣＵ３０は、ブレーキペダルセンサ１１、アクセルペダルセンサ１２、および操舵角センサ１３から送信されるブレーキペダル信号、アクセルペダル信号、および操舵角信号に基づいて、ドライバの操作を取得する。
【００３４】
ＥＣＵ３０は、道路形状およびドライバ操作を取得したら、取得した道路形状に基づいて、車両の目標速度を算出する（Ｓ３）。車両の目標速度を算出するにあたり、取得した道路形状から車両の加速度パターンを生成し、この車両の加速度パターンに基づいて車両の速度パターンを生成する。車両の加速度パターンの生成手順は適宜の方法を用いることができる。
【００３５】
たとえば、道路形状に基づいて、所定のゴール地点およびそのゴール地点に対する到達時間を設定する。さらには、ステップＳ２で取得したドライバの操作に基づいて、ドライバの希望する走行条件を検出する。それから、ドライバの希望する走行条件を加味して、ゴール地点に到達時間までに到達する際の最も燃費がよいと評価される加速度パターンを生成する。このとき、ドライバの希望する走行条件のほか、車両の摩擦円使用率などの安全面を考慮することもできる。
【００３６】
加速度パターンを生成したら、生成した加速度パターンを時間積分処理することによって速度パターンを生成する。さらには、速度パターンを形成してから経過した時間を計測する。そして、生成した速度パターンと、速度パターンを生成してから経過した時間とによって、車両の目標速度を算出する。
【００３７】
速度パターンを生成したら、車両の走行経路を所定の走行区間に区間分けする（Ｓ４）。車両の走行経路を走行区間に区間分けするにあたり、たとえば図４に示すように、走行軌跡Ｃが生成された道路Ｒにおいて、走行経路を所定の幅で略等間隔に分割して走行区間Ｍに区分けする。
【００３８】
こうして走行経路を走行区間に区分けしたら、速度パターンに基づいて、走行区間の種類を種類ごとに分類する（Ｓ５）。本実施形態では、車両の燃費向上を目的として、走行区間の種類を加速区間と惰性走行区間に分類している。走行区間の種類を分類する際の基準としては、加速区間と惰性走行区間のほか、回生による減速区間と、定常走行が必要な定常走行区間とに区間分けする場合、これらの区間を組み合わせる場合など、適宜の基準とすることができる。
【００３９】
走行区間を加速区間と惰性走行区間に分類したら、各走行区間の種類に応じた加速支援制御を行う（Ｓ５）。加速支援制御においては、車両の走行区間が加速区間である場合には、燃費の無駄となる加速である無駄加速を制限する無駄加速制限を行ったり、目標速度に到達するまで加速を促進する加速アシストを行ったりする。一方、車両の走行区間が惰性走行区間である場合には、燃費の無駄を無くすための加速制限や惰性走行支援を行ったりする。
【００４０】
また、走行区間に対する加速支援として、アクセル開度（アクセルペダルの踏み込み量）に対する要求加速度の調整を行う。本実施形態では、要求加速度がそのまま本発明の制御加速度となる。アクセル開度に対する要求加速度の調整を行うにあたり、惰性走行区間では図５（ａ）に示す惰性走行区間用マップを用い、加速区間では図５（ｂ）に示す加速区間用マップを用いる。図５（ａ）に示すように、惰性走行区間用マップでは、アクセル開度が低い領域で所定の加速制限が付されている。
【００４１】
この加速支援制御を行うにあたり、走行区間が切り替わるときでは、切替前の走行区間と切替後の走行区間とで加速区間から惰性走行区間に変わったり、逆に惰性走行区間から加速区間に変わったりすることがある。走行区間が切り替わる際には、要求加速度が急変し、要求加速度の急変に伴ってドライバに対して違和感を与える可能性がある。本実施形態では、走行区間が惰性走行区間から加速区間に切り替わる際に、要求加速度が急変する急変要求加速度となるとみなす制御を行っている。本実施形態に係る車両制御装置では、要求加速度が急変する際にドライバに与える違和感を小さくするための加速支援制御を行う。以下に、加速支援制御の手順について説明する。図３は、加速支援制御の処理手順を示すフローチャートである。
【００４２】
図３に示すように、加速支援制御では、車両が現在走行している走行区間が惰性走行区間であるか否かを判断する（Ｓ１１）。その結果、車両が現在走行している走行区間が惰性走行区間であると判断した場合には、車両が加速区間を出てから経過した時間を判断し、この時間がＴ秒、たとえば１秒以内であるか否かを判断する（Ｓ１２）。ここでのＴ秒は、任意の時間を設定することができ、たとえば、１秒から１０秒のいずれかの時間とすることができる。
【００４３】
ここで、車両が加速区間を出てから経過した時間がＴ秒以内であると判断した場合には、惰性走行区間加速度ｂ１および加速区間加速度ｂ２を算出する（Ｓ１３）。惰性走行区間加速度ｂ１および加速区間加速度ｂ２は、車輪速センサ１６から出力された車輪速信号に基づいて算出された現在の車速と、アクセルペダルセンサ１２から出力されたアクセルペダル信号に基づいて求められるアクセル開度を用いて算出される。
【００４４】
惰性走行区間加速度ｂ１および加速区間加速度ｂ２を算出したら、車両に対する要求加速度を、加速区間加速度ｂ２から惰性走行区間加速度ｂ１に移行させる（Ｓ１４）。加速区間加速度ｂ２から惰性走行区間加速度ｂ１への移行の際に、要求加速度を徐々に移行させるように徐変させる。要求加速度を徐変させる際には、たとえばアクセルペダルの踏み込み量に対して線形としたり、走行区間の切り替わり区間（遷移区間）でマップを用いたりすることができる。また、乗り心地や燃費を考慮して要求加速度を徐変させることができる。
【００４５】
いま、走行区間が惰性走行区間から加速区間に切り替わるとき、アクセル開度ａであったとする。このとき、図６（ａ）に示すように、惰性走行区間では、惰性走行区間用マップＭ１を用いて惰性走行区間加速度ｂ１を求め、加速区間では、加速区間用マップＭ２を用いて加速区間加速度ｂ２を求めるとする。この場合には、図６（ｂ）に実線で示すように、要求加速度が惰性走行区間加速度ｂ１から加速区間加速度ｂ２に大きく変化してしまい、惰性走行区間における要求加速度が急変要求加速度となってしまう。要求加速度が急変要求加速度となることにより、ドライバに違和感を与える可能性がある。
【００４６】
この点、本実施形態では、惰性走行区間から加速区間に切り替わる際、切り替わりの直後では、要求加速度を加速区間加速度ｂ２のままとする。その後、図６（ｂ）に破線で示すように、時間の経過とともに要求加速度を加速区間加速度ｂ２から惰性走行区間加速度ｂ１に滑らかに徐変させるようにしている。このように、要求加速度を加速区間加速度ｂ２から惰性走行区間加速度ｂ１に滑らかに徐変させることにより、車両の加速度をドライバの操作に応じた加速度に近づけることができる。したがって、ドライバに与える違和感を小さくすることができる。
【００４７】
要求加速度を加速区間加速度ｂ２から惰性走行区間加速度ｂ１に徐変させる割合としては、惰性走行区間に入ってからＴ秒、本実施形態では１秒が経過した後に要求加速度が惰性走行区間加速度ｂ１となる割合で要求加速度を移行させる。この１秒間で加速区間加速度ｂ２は変化するが、逐次加速区間加速度ｂ２の変化に応じた割合で要求加速度を変化させる。こうして、加速支援制御を終了する。
【００４８】
また、ステップＳ１２において車両が加速区間を出てから経過した時間がＴ秒以内でない（Ｔ秒を超えている）と判断した場合には、図５（ａ）に示すマップを用いた惰性走行区間における支援制御を行う（Ｓ１５）。車両が加速区間を出てからＴ秒が経過していると、惰性走行区間における走行が進んでおり、惰性走行区間加速度ｂ１を用いた支援制御を行っても、急加速等によってドライバに違和感を与えることを防止することができる。こうして、加速支援制御を終了する。
【００４９】
一方、ステップＳ１１において、車両が現在走行している走行区間が惰性走行区間でなく、加速区間であると判断した場合には、車両が惰性走行区間を出てから経過した時間を判断し、この時間がＴ秒以内であるか否かを判断する（Ｓ１６）。その結果、車両が惰性走行区間を出てから経過した時間がＴ秒以内であると判断した場合には、車輪速センサ１６から出力された車輪速信号に基づいて算出された現在の車速と、アクセルペダルセンサ１２から出力されたアクセルペダル信号に基づいて、惰性走行区間加速度ｂ１および加速区間加速度ｂ２を算出する（Ｓ１７）。それから、車両に対する要求加速度を、惰性走行区間加速度ｂ１から加速区間加速度ｂ２に移行させる（Ｓ１８）。惰性走行区間加速度ｂ１から加速区間加速度ｂ２への移行の際に、要求加速度を徐変させる。このように、要求加速度を惰性走行区間加速度ｂ１から加速区間加速度ｂ２に徐変させることにより、ドライバに与える違和感を軽減することができる。こうして、加速支援制御を終了する。
【００５０】
また、ステップＳ１６において、車両が惰性走行区間を出てから経過した時間がＴ秒以内でない（Ｔ秒を超えている）と判断した場合には、図５（ｂ）に示すマップを用いた加速走行区間における支援制御を行う（Ｓ１９）。車両が惰性走行区間を出てからＴ秒が経過していると、加速区間における走行が進んでおり、加速区間加速度ｂ２を用いた支援制御を行っても、急加速等によってドライバに違和感を与えることを防止することができる。こうして、加速支援制御を終了する。
【００５１】
このように、本実施形態に係る車両制御装置１においては、車両の走行区間が惰性走行区間と加速区間を跨ぎ、惰性走行区間から加速区間に切り替わる場合には、要求加速度を惰性走行区間加速度から加速区間加速度に滑らかに徐変させる。さらには、車両の走行区間が加速区間から惰性走行区間に切り替わる場合には、要求加速度を加速区間加速度から惰性走行区間加速度の滑らかに徐変させる。こうして、要求加速度が急激に変化することを防止することができる。したがって、ドライバに与える違和感を小さくすることができる。
【００５２】
次に、本発明の第２の実施形態について説明する。本実施形態は、上記第１の実施形態と同様の装置によって実現することができ、加速支援制御の内容が異なる。以下、その加速支援制御手順を中心として説明する。図７は、第２の実施形態に係る車両制御装置における加速支援制御の処理手順を示すフローチャートである。第２の実施形態においても、図２に示す手順と同様の処理が行われた後、加速支援制御が行われる。
【００５３】
図７に示すように、本実施形態に係る車両制御装置における加速支援制御では、車両が現在走行している走行区間が惰性走行区間であるか否かを判断する（Ｓ２１）。その結果、車両が現在走行している走行区間が惰性走行区間であると判断した場合には、走行区間が切り替わる前に、アクセルペダルがＯＮとなっていたか否かを判断する（Ｓ２２）。アクセルペダルがＯＮとなっているか否かは、アクセルペダルが踏み込まれているか否かによって判断する。アクセルペダルが踏み込まれている場合にアクセルペダルがＯＮとなり、アクセルペダルが踏み込まれていない場合にアクセルペダルがＯＦＦとなる。その結果、アクセルペダルがＯＮとなっていなかったと判断した場合には、図５（ａ）に示す惰性走行区間用マップを用いた支援制御を実行する（Ｓ２３）。こうして、加速支援制御を終了する。
【００５４】
一方、走行区間が切り替わる前に、アクセルペダルがＯＮとなっていたと判断した場合には、現在のアクセルペダルがＯＦＦとなっているか否かを判断する（Ｓ２４）。現在のアクセルペダルがＯＦＦとなっていないと判断した場合には、図５（ｂ）に示す加速区間用マップを用いた支援制御を保持する（Ｓ２５）。一方、現在のアクセルペダルがＯＦＦとなっている場合には、車両の要求加速度を惰性走行区間における特性に滑らかに繋げる（Ｓ２６）。
【００５５】
走行区間における特性とは、ここでは、走行区間に対応する要求加速度を意味する。具体的には、上記第１の実施形態におけるステップＳ１３，Ｓ１４と同様に、惰性走行区間加速度および加速区間加速度を求め、要求加速度を加速区間加速度から惰性走行区間加速度に徐変させる。
【００５６】
ドライバがアクセルペダルをＯＮとしている場合には、ドライバには加速意思があると推定される。この状態で加速区間から惰性走行区間に切り替わる際に、惰性走行区間における支援制御を行うと、ドライバの加速意思に背くこととなると考えられる。また、その後、アクセルペダルをＯＦＦとしたときには、ドライバの加速意思が無くなったと考えられる。
【００５７】
したがって、図８（ｂ）に示すように、加速区間から惰性走行区間に切り替わる際にアクセルペダルがＯＮであり、その後アクセルペダルがＯＦＦとなってない場合には、図８（ａ）に示すように、加速区間における支援制御を保持している。このため、ドライバの意思に沿った制御を行うことができる。そして、アクセルペダルがＯＦＦとなり、ドライバに加速意思がなくなってから惰性走行区間における支援制御を行うことにより、やはりドライバの意思に沿った制御を行うことができる。さらに、惰性走行区間における支援制御に移行する際に、車両の要求加速度を惰性走行区間における特性に滑らかに繋げることにより、ドライバに与える違和感を小さくすることができる。こうして、加速支援制御を終了する。
【００５８】
また、ステップＳ２１において、車両が現在走行している走行区間が惰性走行区間でないと判断した場合には、走行区間が切り替わる前に、アクセルペダルがＯＮとなっていたか否かを判断する（Ｓ２７）。その結果、アクセルペダルがＯＮとなっていなかったと判断した場合には、図５（ｂ）に示す加速区間用マップを用いた支援制御を実行する（Ｓ２８）。こうして、加速支援制御を終了する。
【００５９】
一方、走行区間が切り替わる前に、アクセルペダルがＯＮとなっていたと判断した場合には、走行区間が切り替わる前のアクセル開度が所定のしきい値を超えていたか否かを判断する（Ｓ２９）。ここでのしきい値は適宜決定することができ、たとえば３０％〜７０％の間の適宜の値とすることができる。
【００６０】
その結果、アクセル開度がしきい値を超えていない（しきい値以下である）と判断した場合には、図５（ａ）に示す惰性走行区間用マップを用いた支援制御を保持する（Ｓ３０）。一方、アクセル開度がしきい値を超えていると判断した場合には、車両の要求加速度を加速区間における特性に滑らかに繋げる（Ｓ３１）。具体的には、上記第１の実施形態におけるステップＳ１３，Ｓ１４と同様に、惰性走行区間加速度および加速区間加速度を求め、要求加速度を惰性走行区間加速度から加速区間加速度に徐変させる。
【００６１】
惰性走行区間から加速区間に切り替わる際に、アクセルペダルが踏み込まれていなければ、ドライバには加速意思はないと推定される。この場合には、そのまま加速区間における支援制御に移行する。また、図９（ｂ）に示すように、惰性走行区間から加速区間に切り替わる際に、アクセルペダルが踏み込まれていれば、加速区間に切り替わった後、アクセル開度をそのまま維持する。その後、アクセルペダルが所定のしきい値を超えるまで踏み込まれたら、ドライバに加速意思が生じたと考えられる。この場合に、加速区間における支援制御に移行する。ここで、加速区間における支援制御に移行するにあたり、図９（ａ）に示すように、車両の要求加速度を加速区間における特性に滑らかに繋げている。このため、ドライバの加速意思に応じた制御を行うことができ、ドライバに与える違和感を小さくすることができる。こうして、加速支援制御を終了する。
【００６２】
このように、本実施形態に係る車両制御装置では、走行区間が加速区間から惰性走行区間に切り替わる際、または惰性走行区間から加速区間に切り替わる際に、ドライバの加速意思を反映した制御を行っている。このため、ドライバの加速意思に応じた制御を行うことができるので、ドライバに与える違和感をより小さくすることができる。
【００６３】
続いて、本発明の第３の実施形態について説明する。本実施形態は、上記第１の実施形態と同様の装置によって実現することができ、加速支援制御の内容が異なる。以下、その加速支援制御手順を中心として説明する。図１０は、第３の実施形態に係る車両制御装置における加速支援制御の処理手順を示すフローチャートである。第３の実施形態においても、図２に示す手順と同様の処理が行われた後、加速支援制御が行われる。
【００６４】
図１０に示すように、本実施形態に係る車両制御装置における加速支援制御では、車両が現在走行している走行区間の次の走行区間（以下「次区間」という）が重要区間であるか否かを判断する（Ｓ４１）。本実施形態において、車両が現在走行している区間が本発明の加速度急変予測前区間となり、次区間が加速度急変予測区間となる。また、本実施形態では、走行区間が惰性走行区間から回生による減速区間である回生減速区間に切り替わる際に、要求加速度が急変する急変要求加速度となるとみなす制御を行っている。
【００６５】
ここで、重要区間について説明する。たとえば、惰性走行区間から回生減速区間に入った場合、その先でカーブに進入したり停止したりする必要がある場合、減速の反応が遅れ、回生では十分に減速されずに油圧ブレーキをかけてしまう可能性がある。このため、回生減速区間では、早期に要求加速度となっていることが求められる。このように、早期に要求加速度となっていることが求められる区間が、重要区間の例として挙げられる。
【００６６】
その他、走行区間の切り替わり後に急なカーブがある場合は、加速が大きすぎると、急なカーブでの減速が遅れることが考えられる。逆に、走行区間の切り替わり後に勾配があると、無駄な加速が生じたり、加速が十分にできなかったりすることが考えられる。したがって、重要区間としては、走行区間の切り替わり後に急なカーブがある走行区間や勾配がある走行区間などを挙げることもできる。
【００６７】
また、次区間が重要区間であると判断した場合には、車両が次区間に進入する際には、次区間における要求加速度となることが求められる。このため、車両の現在位置が、一定時間手前位置よりも次区間に近い位置にあるか否かを判断する（Ｓ４２）。ここで、一定時間手前位置とは、車両の現在位置から次区間に到達するまでの予想時間が所定の一定時間となる一定時間手前の位置を意味する。
【００６８】
その結果、車両の現在位置が一定時間手前位置であると判断した場合には、重要区間における特性に滑らかに繋げる（Ｓ４３）。具体的に、たとえば現在の走行区間が惰性走行区間であり、次区間が重要区間である回生減速区間である場合を想定する。この場合、惰性走行区間要求加速度ｂ３および回生減速区間要求加速度ｂ４を求める。その後、図１１に示すように、惰性走行区間を走行中に、要求加速度を惰性走行区間要求加速度ｂ３から次区間の回生減速区間要求加速度ｂ４に徐変させる。こうして、重要区間である回生減速区間に進入する際には、回生減速区間要求加速度ｂ４に近づけるように要求加速度を調整する。ここでの惰性走行区間要求加速度ｂ３は、ほぼ０であるのに対して、回生減速区間要求加速度ｂ４はエンジンブレーキ回生相当の要求加速度とされている。
【００６９】
一方、車両の現在位置が一定時間手前位置でないと判断した場合には、現在車両が走行中である走行区間における特性を用いた支援制御を行う（Ｓ４４）。また、ステップＳ４１において次区間が重要区間でないと判断した場合には、現在の走行区間である惰性走行区間における特性を用いた支援制御を行う（Ｓ４５）。こうして、加速支援制御を終了する。
【００７０】
このように、本実施形態に係る車両制御装置では、次区間に入る前から次区間の要求加速度となるように要求加速度を徐変させている。このため、次区間における要求加速度を早期に達成することができるので、目標速度パターンに対する追従性の悪化を防止することができる。特に、次区間が重要区間である場合には、重要区間における要求加速度に早期に到達することができる。したがって、重要区間の要求加速度を適切なものとすることができる。
【００７１】
また、重要区間の他の例として、加速区間から惰性走行区間に進入し、その先で急なカーブに進入する場合がある。この場合、加速区間から惰性走行区間に進入しても、ドライバの反応が遅れ、加速が付きすぎて速度超過で急なカーブに進入してしまう可能性がある。このような場合には、図１２（ａ）に示す惰性走行区間用マップＭ１および加速区間用マップＭ２を用いて、図１２（ｂ）に示すように、惰性走行区間を走行中に、要求加速度を加速区間加速度ｂ２から惰性走行区間加速度ｂ１に徐変させる。このような態様とすることもできる。
【００７２】
以上、本発明の好適な実施形態について説明したが、本発明は上記実施形態に限定されるものではない。たとえば、上記実施形態では、走行区間が惰性走行区間から加速区間や回生減速区間に変化するなど、走行区間の種別が変化する際に、急変要求加速度となるとみなす制御を行っている。これに対して、他の手段によって急変要求加速度となると判定する制御を行う態様とすることもできる。
【００７３】
また、上記実施形態では、車両の制御加速度を徐変させるにあたり、要求加速度を徐変させているが、他の態様で車両の制御加速度を徐変させることもできる。たとえば、要求加速度は変更することなく、加速度制御装置として機能するＥＣＵ３０において算出するスロットルアクチュエータ２２やブレーキアクチュエータ２３に対する制御量を徐変させることにより、車両の制御加速度を徐変させることもできる。
【００７４】
さらに、上記第３の実施形態では、重要区間の前の走行区間で要求加速度を徐変させるようにしているが、重要区間でない走行区間の前の走行区間から要求加速度を徐変させる態様とすることもできる。前の走行区間から要求加速度を徐変させることにより、目標走行パターンに対する追従性の悪化を防止することができる。
【符号の説明】
【００７５】
１…車両制御装置、１１…ブレーキペダルセンサ、１２…アクセルペダルセンサ、１３…操舵角センサ、１４…Ｇセンサ、１５…ヨーレートセンサ、１６…車輪速センサ、１７…白線検知センサ、１８…ナビゲーションシステム、２１…操舵アクチュエータ、２２…スロットルアクチュエータ、２３…ブレーキアクチュエータ、２４…モータ、３０…ＥＣＵ。
【図１】
2011079424.tif 000003
【図２】
2011079424.tif 000004
【図３】
2011079424.tif 000005
【図４】
2011079424.tif 000006
【図５】
2011079424.tif 000007
【図６】
2011079424.tif 000008
【図７】
2011079424.tif 000009
【図８】
2011079424.tif 000010
【図９】
2011079424.tif 000011
【図１０】
2011079424.tif 000012
【図１１】
2011079424.tif 000013
【図１２】
2011079424.tif 000014